【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
患者の電磁刺激を供給する医療システムであって、
１つまたは複数のセンサからデータを受信するように構成された電子インタフェースと、
プロセッサとを備え、前記プロセッサは、
受信された前記データに基づいて機械式胸部圧迫器による胸部圧迫の施術を検出し、
前記機械式胸部圧迫器による胸部圧迫の前記施術を検出すると、前記患者の血流を促進する電磁刺激を供給するように構成された回路要素に、前記電磁刺激の供給を停止させるように構成される、システム。
【請求項２】
前記１つまたは複数のセンサは、前記患者に対して施術される手動胸部圧迫の存在を検知するように位置決めされたセンサを含む、請求項１に記載のシステム。
【請求項３】
前記プロセッサは、
前記１つまたは複数のセンサによって生成されるデータを受信し、前記胸部圧迫の品質の劣化を検出すると、電磁刺激を供給するように構成された回路要素に、前記電磁刺激の供給を始動させるようにさらに構成される、請求項１に記載のシステム。
【請求項４】
前記胸部圧迫の品質の前記劣化は、前記胸部圧迫の深さの変化および前記胸部圧迫の圧迫解放の変化の１つまたは複数を含む、請求項３に記載のシステム。
【請求項５】
前記プロセッサは、
閾値よりも大きい期間の間、胸部圧迫の不存在を検出することによって、前記手動胸部圧迫の前記施術の変化を検出するようにさらに構成される、請求項２に記載のシステム。
【請求項６】
前記１つまたは複数のセンサは、前記患者の胸骨の運動を検出するように構成されたセンサを含む、請求項１に記載のシステム。
【請求項７】
前記１つまたは複数のセンサは運動センサを含む、請求項１に記載のシステム。
【請求項８】
前記１つまたは複数のセンサは圧力センサを含む、請求項１に記載のシステム。
【請求項９】
前記１つまたは複数のセンサは速度センサを含む、請求項２に記載のシステム。
【請求項１０】
電磁刺激を供給するように構成された前記回路要素は、自動的にかつユーザ介入なしで電磁刺激を供給するようにさらに構成される、請求項１に記載のシステム。
【請求項１１】
電磁刺激を供給するように構成された前記回路要素は、前記患者の胸郭に貼り付けられた電極アセンブリを含む、請求項１に記載のシステム。
【請求項１２】
電磁刺激を供給するように構成された前記回路要素は、患者に除細動ショックを供給する電極アセンブリを備える、請求項１に記載のシステム。
【請求項１３】
前記電極アセンブリは、前記患者の胸郭に取外し可能に貼り付けられる、請求項１１に記載のシステム。
【請求項１４】
前記回路要素は、５〜１５ミリ秒のパルス間の間隔および３００〜７００ボルトの振幅を有する１００〜２００マイクロ秒継続時間パルスのパルスパケットを供給するように構成された回路要素を含む、請求項１に記載のシステム。
【請求項１５】
前記回路要素は、２〜９５％のデューティサイクルおよび５０〜２０００ボルトの振幅を有する２０〜１０００マイクロ秒継続時間パルスのパルスパケットを供給するように構成された回路要素を含む、請求項１に記載のシステム。
【請求項１６】
前記回路要素は、時間変動性デューティサイクルを有するパルスのパルスパケットを供給するように構成された回路要素を含む、請求項１に記載のシステム。
【請求項１７】
前記回路要素は、第１の期間中に可変デューティサイクルを、また、第２の期間中に一定デューティサイクルを有するパルスのパルスパケットを供給するように構成された回路要素を含む、請求項１に記載のシステム。
【請求項１８】
前記回路要素は、第１の期間中に、線形増加型、指数関数増加型、または対数増加型のうちの１つである刺激波形の有効ＤＣ値を有する刺激を供給するようにさらに構成される、請求項１に記載のシステム。
【手続補正２】
【補正対象書類名】明細書
【補正対象項目名】０１３９
【補正方法】変更
【補正の内容】
【０１３９】
いくつかの実施形態が述べられた。それでも、本発明の趣旨および範囲から逸脱することなく、種々の変更を行うことができることが理解されるであろう。
以下に、上記各実施形態から把握できる技術思想を記載する。
（付記１）
方法であって、
閾値よりも大きい期間の間、胸部圧迫の不存在を検出すること、
胸部圧迫の前記不存在を検出すると、電磁刺激を供給して、患者内の血流を促進すること、
前記電磁刺激の供給を実施することに続いて、機械式胸部圧迫器による胸部圧迫の存在を検出すること、
前記機械式胸部圧迫器による胸部圧迫の前記存在を検出すると、電磁刺激の供給を停止することを備える、方法。
（付記２）
前記機械式胸部圧迫器による胸部圧迫の前記存在を検出することは、前記機械式胸部圧迫器内のセンサからデータを受信することを含む、付記１に記載の方法。
（付記３）
閾値よりも大きい期間の間、胸部圧迫の前記不存在を検出することは、前記患者に対して施術される胸部圧迫を検知するように位置決めされたセンサからデータを受信することを含む、付記１に記載の方法。
（付記４）
前記センサは、前記患者の胸骨の運動を検出するように構成される、付記３に記載の方法。
（付記５）
前記センサは、運動センサ、圧力センサ、および速度センサからなる群から選択されるセンサを含む、付記３に記載の方法。
（付記６）
電磁刺激の供給を実施することは、前記患者の胸郭に貼り付けられた電極アセンブリに、前記電磁刺激を供給させるための信号を供給することを含む、付記１に記載の方法。
（付記７）
電磁刺激の供給を実施することは、前記患者の胸郭に貼り付けられた電極アセンブリに、５〜１５ミリ秒のパルス間の間隔および３００〜７００ボルトの振幅を有する１００〜２００マイクロ秒継続時間パルスのパルスパケットを供給させるための信号を供給することを含む、付記１に記載の方法。
（付記８）
電磁刺激の供給を実施することは、前記患者の胸郭に貼り付けられた電極アセンブリに、２〜９５％のデューティサイクルおよび５０〜２０００ボルトの振幅を有する２０〜１０００マイクロ秒継続時間パルスのパルスパケットを供給させるための信号を供給することを含む、付記１に記載の方法。
（付記９）
電磁刺激の供給が血流を促進することは、時間変動性デューティサイクルを有するパルスのパルスパケットを有する電磁刺激の供給を実施することを含む、付記１に記載の方法。
（付記１０）
電磁刺激の供給が血流を促進することは、第１の期間中に可変デューティサイクルを、また、第２の期間中に一定デューティサイクルを有する電磁刺激の供給を実施することを含む、付記１に記載の方法。
（付記１１）
電磁刺激の供給が血流を促進することは、線形増加型、指数関数増加型、または対数増加型である第１の部分および一定である第２の部分を有する有効ＤＣ値を有する電磁刺激の供給を実施することを含む、付記１に記載の方法。
（付記１２）
患者の電磁刺激を提供する医療システムであって、
電子インタフェースであって、心臓ポンプメカニズムに基づいて血流を始動させるように構成された第１のセットの電極および胸郭ポンプメカニズムに基づいて血流を始動させるように構成された第２のセットの電極と電気的に接続された電子インタフェースと、
前記電子インタフェースと電気的に接続され、前記第１のセットの電極および前記第２のセットの電極から、電気エネルギーの供給を交互に行うようにプログラムされたコントローラとを備える、システム。
（付記１３）
前記コントローラは、１０秒と１分との間の第１の期間中に前記第１のセットの電極を活性化するための信号を前記電子インタフェースを介して供給し、１０秒と１分との間の第２の期間中に前記第２のセットの電極を活性化するための信号を前記電子インタフェースを介して供給することによって、前記第１のセットの電極および前記第２のセットの電極から、電気エネルギーの供給を交互に行うようにさらにプログラムされる、付記１２に記載のシステム。
（付記１４）
前記第２のセットの電極は、胸郭筋群を主に刺激する場所に位置決めされるように構成される、付記１２に記載のシステム。
（付記１５）
前記コントローラは、１０秒と１分との間の期間中に前記第１のセットの電極からパルスを供給した後、１０秒と１分との間の期間中に前記第２のセットの電極からパルスを供給することによって、前記第１のセットの電極および前記第２のセットの電極から、電気エネルギーの供給を連続して行うようにさらにプログラムされる、付記１２に記載のシステム。
（付記１６）
前記コントローラは、
第１の期間中に、５〜１５ミリ秒のパルス間の間隔および３００〜７００ボルトの振幅を有する１００〜２００マイクロ秒継続時間パルスのパルスパケットを前記第１のセットの電極に供給させるための１つまたは複数の信号を供給することによって電磁刺激の供給を実施し、
前記第１の期間に続く第２の期間中に、５〜１５ミリ秒のパルス間の間隔および３００〜７００ボルトの振幅を有する１００〜２００マイクロ秒継続時間パルスのパルスパケットを前記第２のセットの電極に供給させるための１つまたは複数の信号を供給することによって電磁刺激の供給を実施するようにさらにプログラムされる、付記１２に記載のシステム。
（付記１７）
前記コントローラは、
第１の期間中に、２〜９５％のデューティサイクルおよび５０〜２０００ボルトの振幅を有する２０〜１０００マイクロ秒継続時間パルスのパルスパケットを前記第１のセットの電極に供給させるための１つまたは複数の信号を供給することによって電磁刺激の供給を実施し、
前記第１の期間に続く第２の期間中に、２〜９５％のデューティサイクルおよび５０〜２０００ボルトの振幅を有する２０〜１０００マイクロ秒継続時間パルスのパルスパケットを前記第２のセットの電極に供給させるための１つまたは複数の信号を供給することによって電磁刺激の供給を実施するようにさらにプログラムされる、付記１２に記載のシステム。
（付記１８）
患者の電磁刺激を供給する医療システムであって、
心臓ポンプメカニズムに基づいて血流を始動させるために配置されるように構成される第１のセットの電極と、
胸郭ポンプメカニズムに基づいて血流を始動させるために配置されるように構成される第２のセットの電極と、
コントローラとを備え、前記コントローラは、前記患者内に血流をもたらすように構成される２段階の電気刺激を生成するために、前記第１のセットの電極および前記第２のセットの電極から電気エネルギーの供給を連続して行うようにプログラムされる、システム。
（付記１９）
前記２段階の電気刺激は、前記コントローラが、その間に前記第１のセットの電極を活性化するように構成される第１の段階、および、前記コントローラが、その間に前記第２のセットの電極を活性化するように構成される第２の段階を含む、付記１８に記載のシステム。
（付記２０）
前記第２のセットの電極は、収縮中に、主に前記胸郭ポンプメカニズムによって血流を生成する胸郭筋群を主に刺激する場所に位置決めされるように構成される、付記１８に記載のシステム。
（付記２１）
前記第２のセットの電極は、胸郭の下部で前記患者の左側と右側に位置決めされるように構成される付記２０に記載のシステム。
（付記２２）
前記コントローラは、前記第１のセットの電極からパルスを供給した後１００〜５００ミリ秒経って、前記第２のセットの電極からパルスを供給することによって、前記第１のセットの電極および前記第２のセットの電極から電気エネルギーの供給を連続して行うようにさらにプログラムされる、付記１８に記載のシステム。
（付記２３）
前記コントローラは、前記第１のセットの電極からパルスを供給した後１００〜２００ミリ秒経って、前記第２のセットの電極からパルスを供給することによって、前記第１のセットの電極および前記第２のセットの電極から電気エネルギーの供給を連続して行うようにさらにプログラムされる、付記１８に記載のシステム。
（付記２４）
患者の電磁刺激を供給する方法であって、
心臓ポンプメカニズムおよび胸郭ポンプメカニズムに基づいて、
第１の期間中に前記心臓ポンプメカニズムに基づいて血流を始動させるように構成される第１のセットの電極を活性化するための信号をインタフェースを介して供給すること、
第２の期間中に前記胸郭ポンプメカニズムに基づいて血流を始動させるように構成される第２のセットの電極を活性化するための信号を前記インタフェースを介して供給することによって、
患者内の血流を刺激する電気刺激の供給を交互に行うことを備える、方法。
（付記２５）
前記第１の期間は、１０秒と１分との間の期間を含み、
前記第２の期間は、１０秒と１分との間の期間を含む、付記２４に記載の方法。
（付記２６）
前記第１のセットの電極を活性化するための信号を供給することは、
前記第１の期間中に、５〜１５ミリ秒のパルス間の間隔および３００〜７００ボルトの振幅を有する１００〜２００マイクロ秒継続時間パルスのパルスパケットを前記第１のセットの電極に供給させるための１つまたは複数の信号を供給することを含み、
前記第２のセットの電極を活性化するための信号を供給することは、
前記第１の期間に続く前記第２の期間中に、５〜１５ミリ秒のパルス間の間隔および３００〜７００ボルトの振幅を有する１００〜２００マイクロ秒継続時間パルスのパルスパケットを前記第２のセットの電極に供給させるための１つまたは複数の信号を供給することを含む、付記２４に記載の方法。
（付記２７）
前記第１のセットの電極を活性化するための信号を供給することは、
前記第１の期間中に、２〜９５％のデューティサイクルおよび５０〜２０００ボルトの振幅を有する２０〜１０００マイクロ秒継続時間パルスのパルスパケットを前記第１のセットの電極に供給させるための１つまたは複数の信号を供給することを含み、
前記第２のセットの電極を活性化するための信号を提供することは、
前記第１の期間に続く前記第２の期間中に、２〜９５％のデューティサイクルおよび５０〜２０００ボルトの振幅を有する２０〜１０００マイクロ秒継続時間パルスのパルスパケットを前記第２のセットの電極に供給させるための１つまたは複数の信号を供給することを含む、付記２４に記載の方法。
（付記２８）
患者の電磁刺激を供給する方法であって、
心臓ポンプメカニズムに基づいて血流を始動させるように構成される第１のセットの電極および胸郭ポンプメカニズムに基づいて血流を始動させるように構成される第２のセットの電極から電気エネルギーの供給を連続して行う信号をインタフェースを介して供給して、患者内に血流をもたらすように構成される２段階の電気刺激を生成することを備える、方法。
（付記２９）
前記第１のセットの電極および前記第２のセットの電極から電気エネルギーの供給を連続して行う信号を前記インタフェースを介して供給することは、前記第１のセットの電極からパルスを供給した後１００〜５００ミリ秒経って、前記第２のセットの電極からパルスを供給する信号を前記インタフェースを介して供給することを含む、付記２７に記載の方法。
（付記３０）
前記第１のセットの電極および前記第２のセットの電極から電気エネルギーの供給を連続して行う信号を前記インタフェースを介して供給することは、前記第１のセットの電極からパルスを供給した後１００〜２００ミリ秒経って、前記第２のセットの電極からパルスを供給する信号を前記インタフェースを介して供給することを含む、付記２７に記載の方法。
（付記３１）
患者の電磁刺激を供給する医療システムであって、
救助者によって前記患者に実施される手動による胸部圧迫の存在を検知するように位置決めされたセンサと、
前記センサによって生成されるデータを受信し、前記胸部圧迫の施術の変化を検出するように構成されたプロセッサと、
前記胸部圧迫の前記施術の変化を検出すると、前記患者に電磁刺激を供給して前記患者の血流を促進するように構成される回路要素とを備える、システム。
（付記３２）
前記変化は、前記胸部圧迫の品質の劣化を含む、付記３１に記載のシステム。
（付記３３）
前記胸部圧迫の前記品質の劣化は、前記胸部圧迫の深さの変化を含む、付記３１に記載のシステム。
（付記３４）
前記胸部圧迫の前記品質の劣化は、前記胸部圧迫の圧迫解放の変化を含む、付記３１に記載のシステム。
（付記３５）
前記プロセッサは、閾値よりも大きい期間の間、胸部圧迫の不存在を検出することによって、前記胸部圧迫の前記施術の変化を検出するように構成される、付記３１に記載のシステム。
（付記３６）
前記プロセッサは、２秒よりも大きい期間の間、胸部圧迫の不存在を検出することによって、前記胸部圧迫の前記施術の変化を検出するように構成される、付記３１に記載のシステム。
（付記３７）
前記プロセッサは、第１の期間中に前記センサによって生成されるデータを、前記第１の期間後に起こる第２の期間中に前記センサによって生成されるデータと比較することによって前記胸部圧迫の前記施術の変化を検出するように構成される、付記３１に記載のシステム。
（付記３８）
前記センサは、前記患者の胸骨の運動を検出するように構成される、付記３１に記載のシステム。
（付記３９）
前記センサは運動センサを含む、付記３１に記載のシステム。
（付記４０）
前記センサは圧力センサを含む、付記３１に記載のシステム。
（付記４１）
前記センサは速度センサを含む、付記３１に記載のシステム。
（付記４２）
電磁刺激を供給するように構成された前記回路要素は、自動的にかつユーザ介入なしで電磁刺激を供給するようにさらに構成される、付記３１に記載のシステム。
（付記４３）
電磁刺激を供給するように構成された前記回路要素は、前記患者の胸郭に貼り付けられた電極アセンブリを含む、付記３１に記載のシステム。
（付記４４）
前記電極アセンブリは、前記患者の胸郭に取外し可能に貼り付けられる、付記４３に記載のシステム。
（付記４５）
前記回路要素は、５〜１５ミリ秒のパルス間の間隔および３００〜７００ボルトの振幅を有する１００〜２００マイクロ秒継続時間パルスのパルスパケットを供給するように構成される回路要素を含む、付記３１に記載のシステム。
（付記４６）
前記回路要素は、２〜９５％のデューティサイクルおよび５０〜２０００ボルトの振幅を有する２０〜１０００マイクロ秒継続時間パルスのパルスパケットを供給するように構成される回路要素を含む、付記３１に記載のシステム。
（付記４７）
前記回路要素は、時間変動性デューティサイクルを有するパルスのパルスパケットを供給するように構成される回路要素を含む、付記３１に記載のシステム。
（付記４８）
前記回路要素は、第１の期間中に可変デューティサイクルを、また、第２の期間中に一定デューティサイクルを有するパルスのパルスパケットを供給するように構成される回路要素を含む、付記３１に記載のシステム。
（付記４９）
前記回路要素は、第１の期間中に、線形増加型である刺激波形の有効ＤＣ値を有する刺激を供給するようにさらに構成される、付記３１に記載のシステム。
（付記５０）
前記回路要素は、第１の期間中に、指数関数増加型である刺激波形の有効ＤＣ値を有する刺激を供給するようにさらに構成される、付記３１に記載のシステム。
（付記５１）
前記回路要素は、第１の期間中に、対数増加型である刺激波形の有効ＤＣ値を有する刺激を供給するようにさらに構成される、付記３１に記載のシステム。
（付記５２）
前記患者に対して前記電磁刺激の供給を始動すると、手動胸部圧迫を再開するよう、前記救助者に視覚的に促すように構成されるディスプレイデバイスをさらに備える、付記３１に記載のシステム。
（付記５３）
前記患者に対して前記電磁刺激の供給を開始すると、手動胸部圧迫を再開するよう、救助者にオーディオ・プロンプトを供給するように構成されるスピーカをさらに備える、付記３１に記載のシステム。
（付記５４）
前記プロセッサは、胸部圧迫の品質の劣化を検出することによって、前記胸部圧迫の施術の変化を検出するように構成される、付記３１に記載のシステム。
（付記５５）
前記回路要素は、胸部圧迫の品質の劣化を検出すると、前記救助者による手動胸部圧迫の施術と同時に、前記電磁刺激を供給するように構成される、付記５４に記載のシステム。
（付記５６）
患者の電磁刺激を供給するための方法であって、
救助者によって前記患者に対して施術される手動胸部圧迫の存在を検知するように位置決めされたセンサによって生成させるデータを受信し、胸部圧迫の施術の変化を検出すること、
胸部圧迫の施術の変化を検出すると、前記患者内の血流を刺激するために前記患者に電磁刺激を１つまたは複数の電極に供給させるための信号をインタフェースを介して供給することを備える、方法。
（付記５７）
前記変化を検出することは、前記胸部圧迫の品質の劣化を検出することを含む、付記５６に記載の方法。
（付記５８）
前記変化を検出することは、前記胸部圧迫の深さの変化を検出することを含む、付記５６に記載の方法。
（付記５９）
前記変化を検出することは、前記胸部圧迫の圧迫解放の変化を検出することを含む、付記５６に記載の方法。
（付記６０）
前記変化を検出することは、閾値より大きい期間の間、前記胸部圧迫の不存在を検出することを含む、付記５６に記載の方法。
（付記６１）
変化を検出することは、２秒よりも大きい期間の間、前記胸部圧迫の不存在を検出することを含む、付記５６に記載の方法。
（付記６２）
前記患者に対して電磁刺激を１つまたは複数の電極に供給させるための信号をインタフェースを介して供給することは、５〜１５ミリ秒のパルス間の間隔および３００〜７００ボルトの振幅を有する１００〜２００マイクロ秒継続時間パルスのパルスパケットを供給するための信号を供給することを含む、付記５６に記載の方法。
（付記６３）
前記患者に対して電磁刺激を１つまたは複数の電極に供給させるための信号をインタフェースを介して供給することは、２〜９５％のデューティサイクルおよび５０〜２０００ボルトの振幅を有する２０〜１０００マイクロ秒継続時間パルスのパルスパケットを供給するための信号を供給することを含む、付記５６に記載の方法。
（付記６４）
前記患者に対して電磁刺激を１つまたは複数の電極に供給させるための信号をインタフェースを介して供給することは、時間変動性デューティサイクルを有するパルスのパルスパケットを供給するための信号を供給することを含む、付記５６に記載の方法。
（付記６５）
前記患者に対して電磁刺激を１つまたは複数の電極に供給させるための信号をインタフェースを介して供給することは、第１の期間中に可変デューティサイクルを、また、第２の期間中に一定デューティサイクルを有するパルスのパルスパケットを供給するための信号を供給することを含む、付記５６に記載の方法。
（付記６６）
前記患者に対して電磁刺激を１つまたは複数の電極に供給させるための信号をインタフェースを介して供給することは、第１の期間中に線形増加型である刺激波形の有効ＤＣ値を有する刺激を供給するための信号を供給することを含む、付記５６に記載の方法。
（付記６７）
前記患者に対する前記電磁刺激の供給を始動すると、手動胸部圧迫を再開するよう前記救助者に視覚的に促すことをさらに含む、付記５６に記載の方法。
（付記６８）
心臓障害を有する患者に、制御されたショックを供給する体外除細動器であって、
患者に除細動ショックを供給することが可能な電気蓄積デバイスと、
前記患者に対する救助者の手の場所を確定するように構成される近接センサと、
コントローラとを備え、前記コントローラは、
前記救助者による胸部圧迫の手動施術を実施することに対応する期間中に受信された前記近接センサからのデータを解析することによって、前記近接センサを較正し、
前記近接センサからのデータに少なくとも部分的に基づいて、前記患者に対して除細動ショックを前記電気蓄積デバイスに供給させるようにプログラムされる、体外除細動器。
（付記６９）
前記近接センサはキャパシタンスセンサを含む、付記６８に記載の体外除細動器。
（付記７０）
前記近接センサは、前記患者からの前記救助者の手の除去を検出するようにさらに構成される、付記６８に記載の体外除細動器。
（付記７１）
前記コントローラは、前記救助者が前記患者から少なくとも５．０８ｃｍ離れていることを検出すると、前記患者に対して除細動ショックを前記電気蓄積デバイスに供給させるようにさらに構成される、付記６８に記載の体外除細動器。
（付記７２）
前記近接センサは超音波センサを含む、付記６８に記載の体外除細動器。
（付記７３）
前記近接センサは光放出器−受信器対を含む、付記６８に記載の体外除細動器。
（付記７４）
心臓障害を有する患者に、制御されたショックを供給する方法であって、
患者に対する救助者の手の場所を確定するように位置決めされた近接センサによって生成されるデータを受信すること、
救助者による胸部圧迫の手動施術を実施することに対応する期間中に受信された前記近接センサからのデータを解析することによって、前記近接センサを較正すること、
前記近接センサからのデータに少なくとも部分的に基づいて、前記患者に対して除細動ショックを電気蓄積デバイスに供給させるための信号をインタフェースを介して供給することを備える、方法。
（付記７５）
前記近接センサはキャパシタンスセンサを含む、付記７４に記載の方法。
（付記７６）
前記除細動ショックを前記電気蓄積デバイスに供給させるための信号を前記インタフェースを介して供給することは、前記患者からの前記救助者の手の取除きを検出すると前記信号を供給することを含む、付記７４に記載の方法。
（付記７７）
前記除細動ショックを前記電気蓄積デバイスに供給させるための信号を前記インタフェースを介して供給することは、前記救助者が前記患者から少なくとも５.０８ｃｍ（２イ
ンチ）離れていることを検出すると前記信号を供給することを含む、付記７４に記載の方法。
（付記７８）
前記近接センサは超音波センサを含む、付記７４に記載の方法。
（付記７９）
前記近接センサは光放出器−受信器対を含む、付記７４に記載の方法。